(57)【要約】【課題】挿入板を挿抜可能な表示装置であって、挿入板の挿入状態に応じて表示部の表示状態を変更することが可能な表示装置を提供する。【解決手段】本発明の表示装置は、画像を表示する表示部を備えている。また、表示部の内部に対して挿抜自在な挿抜部材の挿抜状態を検知する挿抜検知部を備えている。また、挿抜検知部により挿入が検知された挿抜部材の種別を判別する判別部を備えている。また、判別部による判別結果に基づいて、輝度または表示画像の色調を変更するよう表示部を制御する表示制御部を備えている。また、表示部に含まれるバックライトの調光を行うバックライト制御部を備えている。表示制御部は、判別部による判別結果に基づいて、バックライトの調光を行うようバックライト制御部を制御する。【選択図】図１
2012022126.tif 000002
【特許請求の範囲】
【請求項１】
画像を表示する表示部を備えた表示装置において、
前記表示部の内部に対して挿抜自在な挿抜部材の挿抜状態を検知する挿抜検知部と、
前記挿抜検知部により挿入が検知された前記挿抜部材の種別を判別する判別部と、
前記判別部による判別結果に基づいて、輝度または表示画像の色調を変更するよう前記表示部を制御する表示制御部を備えること
を特徴とする表示装置。
【請求項２】
前記表示部に含まれるバックライトの調光を行うバックライト制御部を備え、
前記表示制御部は、前記判別部による判別結果に基づいて、前記バックライトの調光を行うよう前記バックライト制御部を制御すること
を特徴とする請求項１に記載の表示装置。
【請求項３】
前記表示制御部は、前記挿抜部材が透明部材であることが前記判別部により判別された場合に、前記バックライトの発光量を予め定められた値だけ低減するよう前記バックライト制御部を制御すること
を特徴とする請求項２に記載の表示装置。
【請求項４】
前記表示制御部は、前記挿抜部材の判別に前記判別部が失敗した場合に、予め定められた発光量となるよう前記バックライト制御部を制御するとともに、予め定められた色調で画像を表示するよう前記表示部を制御すること
を特徴とする請求項３に記載の表示装置。
【請求項５】
前記表示部は、カラー液晶部と、前記カラー液晶部の上面に設けられた透明液晶部とを含み、
前記挿抜検知部は、前記カラー液晶部の上面且つ前記透明液晶部の下面に挿抜される前記挿抜部材を検知し、
前記表示制御部は、前記判別部による判別結果に基づいて、前記カラー液晶部及び前記透明液晶部のいずれに画像を表示するかを決定すること
を特徴とする請求項４に記載の表示装置。
【請求項６】
前記表示部に絵画像を表示するよう前記表示制御部を制御する絵画表示制御部を備え、
前記絵画表示制御部は、前記判別部による判別結果に基づいて、前記表示部に表示する絵画像を前記カラー液晶部及び前記透明液晶部のいずれに表示するか決定するとともに、前記判別部による判別結果に基づいて、前記バックライトの調光を行うよう前記バックライト制御部を制御すること
を特徴とする請求項５に記載の表示装置。
【発明の詳細な説明】
【技術分野】
【０００１】
本発明は、画像を表示する表示装置に関するものであり、特に小型の液晶パネルを用いて電子書籍情報を表示する携帯用の表示装置に関する。
【背景技術】
【０００２】
近年、デジタル技術の多機能化、多様化により、液晶パネルや有機ＥＬ等を用いた比較的小型の表示装置の実用化が進められている。このような小型の表示装置の一つに、電子ブックが存在する。
【０００３】
電子ブックは、紙媒体である書籍に記録されている文字情報や画像情報を、ＨＤＤ（Hard disk drive）やフラッシュメモリ等の記録媒体に、書籍ファイルとして記録している。ユーザは所望する書籍ファイルを実行することにより、書籍ファイルに含まれる文字画像や絵画像を液晶パネル等に表示し、閲覧することが可能である。
【０００４】
電子ブックの中には、カラー液晶パネルを備えるもの、モノクロの透明液晶パネルを備えるもの、その両方を備えるものがある。カラー液晶表パネルは、ユーザがバックライトの透過光を見るため、ユーザの目が疲れやすいという問題があった。また透明液晶パネルは、下地が白色でないため、ユーザが視認しづらいという問題があった。
【０００５】
上記に関連して特許文献１においては、低消費電力を考慮し、透明液晶パネル及びカラー液晶パネルの切り換えを可能とした液晶表示装置が開示されている。
【０００６】
この液晶表示装置は、透明液晶パネルの背後にカラー液晶パネルを相互に離間して配置し、透明液晶パネル及びカラー液晶パネル間に、少なくとも反射板部を有する移動可能なシート状部材を配置している。シート状部材は、反射板部及び透過部を有し、両端のローラーに巻き取り式に構成される。
【０００７】
また上記に関連して特許文献２においては、周囲の明るさに応じて表示装置の明るさを制御し、バックライト、フロントライト、または階調電圧発生回路の消費電力を低減することが可能な通信端末装置が開示されている。
【０００８】
この通信端末装置は、周囲の明るさを検出する環境照度検出回路を設け、周囲の明るさが予め定められた明るさ以下になった場合は、照明装置の明るさを制限する。また、透過式の液晶表示装置を使用する場合はバックライトの明るさを周囲の明るさの増加と共に単調増加するよう制御する。
【０００９】
また上記に関連して特許文献３においては、透明液晶パネルとカラー液晶パネルとを備えた液晶表示装置であり、屋外で使用するときに消費電力を少なくすることができ、長時間使用することが可能な液晶表示装置が開示されている。
【００１０】
この液晶表示装置は、透明液晶パネルの裏面側に反射板を配設している。また、透明液晶パネルは、カラー液晶パネルの前面側に配置されており、これらの液晶パネルの間に反射板を抜き差し可能に配設している。これにより、白黒画面を明確なものとするとともに、消費電力の低減を図っている。
【先行技術文献】
【特許文献】
【００１１】
【特許文献１】特開２００３−３５９００号公報
【特許文献２】特開２００４−９６５９３号公報
【特許文献３】特開２０００−１７１７９１号公報
【発明の概要】
【発明が解決しようとする課題】
【００１２】
しかしながら上記の特許文献においては、透明液晶パネルとカラー液晶パネルとの間に板状部材を配置したり、環境照度等に基づいて各液晶パネルの発光量を調整したりする技術については開示されているが、板状部材の挿抜状態に応じて各液晶パネルの表示制御を行う技術については開示も示唆もなされていない。従ってユーザは、板状部材の挿抜を行うたびに、各液晶パネルの表示状態、例えば色調や輝度等を手動で調整する必要があった。
【００１３】
本発明は、上記の問題を鑑みてなされたものであり、挿入板を挿抜可能な表示装置であって、挿入板の挿入状態に応じて表示部の表示状態を変更することが可能な表示装置を提供することにある。
【課題を解決するための手段】
【００１４】
上記目的を達成するために本発明の表示装置は、画像を表示する表示部を備えた表示装置において、前記表示部の内部に対して挿抜自在な挿抜部材の挿抜状態を検知する挿抜検知部と、前記挿抜検知部により挿入が検知された前記挿抜部材の種別を判別する判別部と、前記判別部による判別結果に基づいて、輝度または表示画像の色調を変更するよう前記表示部を制御する表示制御部とを備えることを特徴としている。
【００１５】
この構成によると、本発明の表示装置は、画像を表示する表示部を備えている。また、表示部の内部に対して挿抜自在な挿抜部材の挿抜状態を検知する挿抜検知部を備えている。また、挿抜検知部により挿入が検知された挿抜部材の種別を判別する判別部を備えている。また、判別部による判別結果に基づいて、輝度または表示画像の色調を変更するよう表示部を制御する表示制御部を備えている。
【００１６】
また、上記目的を達成するために本発明の表示装置は、前記表示部に含まれるバックライトの調光を行うバックライト制御部を備え、前記表示制御部は、前記判別部による判別結果に基づいて、前記バックライトの調光を行うよう前記バックライト制御部を制御することを特徴としている。
【００１７】
この構成によると、表示装置は、表示部に含まれるバックライトの調光を行うバックライト制御部を備えている。また表示制御部は、判別部による判別結果に基づいて、バックライトの調光を行うようバックライト制御部を制御する。
【００１８】
また、上記目的を達成するために本発明の表示装置が備える前記表示制御部は、前記挿抜部材が透明部材であることが前記判別部により判別された場合に、前記バックライトの発光量を予め定められた値だけ低減するよう前記バックライト制御部を制御することを特徴としている。
【００１９】
この構成によると、表示制御部は、挿抜部材が透明部材であることが判別部により判別された場合に、バックライトの発光量を所定値だけ低減するよう、バックライト制御部を制御する。
【００２０】
また、上記目的を達成するために本発明の表示装置が備える前記表示制御部は、前記挿抜部材の判別に前記判別部が失敗した場合に、予め定められた発光量となるよう前記バックライト制御部を制御するとともに、予め定められた色調で画像を表示するよう前記表示部を制御することを特徴としている。
【００２１】
この構成によると、表示制御部は、挿抜部材の判別に失敗した場合に、バックライトが予め定められている発光量、つまり固定値の発光量となるよう、バックライト制御部を制御する。また、予め定められている固定値の色調で画像を表示するよう、表示部を制御する。
【００２２】
また、上記目的を達成するために本発明の表示装置が備える前記表示部は、カラー液晶部と、前記カラー液晶部の上面に設けられた透明液晶部とを含み、前記挿抜検知部は、前記カラー液晶部の上面且つ前記透明液晶部の下面に挿抜される前記挿抜部材を検知し、前記表示制御部は、前記判別部による判別結果に基づいて、前記カラー液晶部及び前記透明液晶部のいずれに画像を表示するかを決定することを特徴としている。
【００２３】
この構成によると、表示部は、カラー液晶部と、カラー液晶部の上面に設けられた透明液晶部とを含む多層構造をしている。挿抜検知部は、カラー液晶部の上面且つ透明液晶部の下面に挿抜される挿抜部材を検知可能な位置に設けられている。また表示制御部は、判別部による判別結果に基づいて、カラー液晶部及び透明液晶部のいずれに画像を表示するかを決定する。
【００２４】
また、上記目的を達成するために本発明の表示装置は、前記表示部に絵画像を表示するよう前記表示制御部を制御する絵画表示制御部を備え、前記絵画表示制御部は、前記判別部による判別結果に基づいて、前記表示部に表示する絵画像を前記カラー液晶部及び前記透明液晶部のいずれに表示するか決定するとともに、前記判別部による判別結果に基づいて、前記バックライトの調光を行うよう前記バックライト制御部を制御することを特徴としている。
【００２５】
この構成によると、表示装置は、表示部に絵画像を表示するよう表示制御部を制御する絵画表示制御部を備えている。絵画表示制御部は、判別部による判別結果に基づいて、絵画像をカラー液晶部及び透明液晶部のいずれに表示するか決定する。また絵画表示制御部は、判別部による判別結果に基づいて、バックライトの調光を行うようバックライト制御部を制御する。
【発明の効果】
【００２６】
本発明によれば、表示部の内部に挿抜される挿抜部材の種別に基づいて、バックライトの調光と、表示部に含まれる各液晶部の色調調整とを行う。これによりユーザは、手動で表示部の調整を行う必要がなく、利便性が向上する。
【００２７】
また本発明によれば、カラー液晶部と透明液晶部との間に挿抜部材、例えば挿入板や白紙を挿入することにより、ユーザは従来の紙メディアと同様の反射光で表示部を閲覧することができる。このため、カラー液晶部を用いて画像を閲覧する場合と比較して、バックライトの透過光によるユーザの目の疲れを低減するとともに、画像を視認しやすい状態を維持することができる。
【図面の簡単な説明】
【００２８】
【図１】本発明の第一の実施形態に係る機能部の構成を示すブロック図である。
【図２】本発明の表示装置の内部構成を示すブロック図である。
【図３】本発明の表示装置の液晶パネルの構成を示す模式図である。
【図４】本発明の第一の実施形態に係る表示制御処理を示すフロー図である。
【図５】本発明の第二の実施形態に係る機能部の構成を示すブロック図である。
【図６】本発明の第二の実施形態に係る表示制御処理を示すフロー図である。
【図７】本発明の第二の実施形態に係る表示制御処理を示すフロー図である。
【図８】本発明の第二の実施形態に係る表示制御処理を示すフロー図である。
【発明を実施するための形態】
【００２９】
以下に本発明の実施形態を、図面を参照しながら説明する。なお、ここで示す実施形態は一例であり、本発明はここに示す実施形態に限定されるものではない。
〈１−１．内部構成について〉
【００３０】
図２は、本発明の第一の実施形態に係る電子ブック１（＝表示装置）の内部構成を示すブロック図である。なお、図２における矢印線は画像データの流れを示している。また、矢印のない直線は、制御部１１が各装置に対する制御信号等を送受信するための通信バスを示している。
【００３１】
電子ブック１は少なくとも、制御部１１、メモリ１２、操作部１３、フラッシュメモリ１４、ディスプレイ１５（＝表示部）、ＨＤＤ１６、電源部１７、外部接続端子１８、及び板検知部１９（＝挿抜検知部）を含むように構成されている。なお外部接続端子１８により接続される装置として、ＰＣ（Personal Computer）２等の情報処理装置が存在する。
【００３２】
制御部１１は、電子ブック１の各部材の駆動を制御することにより、画像情報の再生処理、記録処理、出力処理等を統括制御するためのものである。制御部１１は例えば、複数のマイクロプロセッサから構成されている。また制御部１１は、制御部１１が備える演算処理装置上でプログラムを実行することにより実現される機能部として、後述する板判別部１１ａ〜バックライト制御部１１ｃ（図１）を備えている。
【００３３】
メモリ１２は、電子ブック１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３４】
操作部１３は、ユーザが電子ブック１に対して各種指示を行うためのものである。操作部１３は、例えば電子ブック１のハウジングに設けられた複数のボタンや、後述するディスプレイ１５に含まれるタッチパネル部材等を含む。操作部１３はこれらの装置により、ユーザ操作を受け付ける。ユーザ操作が受け付けられると、制御部１１は操作内容に基づいて、書籍ファイルに含まれる画像の表示処理や、書籍ファイルの転送処理等を行う。
【００３５】
フラッシュメモリ１４は、ＥＥＰＲＯＭの一種で、デバイスの利用者が書き込み／消去可能なＲＯＭである。フラッシュメモリ１４は回路基板に実装したままで書き込み、消去ができるため、利用時に書き換えが必要な用途、例えば装置の動作設定データや、利用者固有の情報等を保存するのに用いられる。
【００３６】
ディスプレイ１５は、液晶パネル及びドライバ等からなるＬＣＤ（Liquid Crystal Display）モジュールであり、その背後にバックライト（不図示）を備えている。バックライトは液晶パネルの裏側に配置されている発光装置である。バックライトは、例えば光源に冷陰極管を用いるエッジライト方式や、蛍光ランプを液晶パネルの背面に並べる直下型方式のものを用いる。なおディスプレイ１５は複数の液晶パネルを含んでいるが、この構成の詳細については後述する。
【００３７】
ＨＤＤ１６は、デジタルデータを記録する磁気記録媒体である。本実施形態では主に、ディスプレイ１５に文字画像や挿絵画像等を表示するために用いられる書籍ファイルを記録するのに用いられる。
【００３８】
電源部１７は、外部電源（不図示）より電力の供給を受け、電子ブック１の各部に対して電源電圧を与える。電源部１７は、外部電源より電力供給を受けるための電源コードを接続する接続端子を備えている。或いは電源部１７は、電源として乾電池或いは二次電池を使用することにより、外部電源から切り離された状態で電子ブック１の駆動を可能とする形態であってもよい。二次電池としては例えば、充電式アルカリ電池やリチウムイオンバッテリ等を用いることが可能である。
【００３９】
外部接続端子１８は、例えばＵＳＢ（Universal Serial Bus）端子等を含む、複数の入出力端子からなるインタフェースである。外部接続端子１８はこれらの入出力端子を用いて、電子ブック１と外部の装置、例えばＰＣ２を接続し、デジタル信号またアナログ信号の入出力を行う。
【００４０】
板検知部１９は、後述する挿入板３２（＝挿抜部材）を検知するための部材であり、例えばリーフスイッチや赤外線センサ等を含む。例えばリーフスイッチを用いる場合、挿入された挿入板３２がこのリーフスイッチを加圧することにより、挿入板３２を検知する。
〈１−２．液晶パネルの構成について〉
【００４１】
図３は、ディスプレイ１５に含まれる複数の液晶パネルの構成を示している。液晶パネルは少なくとも、カラー液晶パネル３１（＝カラー液晶部）、挿入板３２、及び透明液晶パネル３３（＝透明液晶部）を含むように構成されている。
【００４２】
カラー液晶パネル３１は、電子ブック１を電子手帳やＰＤＡ（Personal Digital Assistant）として使用する場合に用いられる液晶パネルである。カラー液晶パネル３１は、その背後に設けられたバックライト（不図示）が発する透過光により、ユーザが視認可能となっている。
【００４３】
挿入板３２は、電子ブック１を書籍閲覧の目的で使用する場合に用いられる部材であり、透明液晶の下に敷いて用いられる。挿入板３２は挿抜が可能な板状部材であり、例えば光を透過させない（＝不透明な）乳白色のアクリル板や白紙等を用いる。或いは、所定の透明度を持つ専用板やプラスチック板等を、挿入板３２として用いることも可能である。
【００４４】
なお図示していないが、電子ブック１のハウジングには専用板３２を挿抜するためのスロット機構が設けられている。スロット機構の近傍には、挿入板３２を検知するための板検知部１９が設けられている。なおスロット機構の構造については、従来技術と同様であるため、ここでは説明を省略する。
【００４５】
透明液晶パネル３３は、ユーザが電子ブック１を書籍閲覧モードで使用する場合に、書籍ファイルに含まれる画像を白黒表示するための透明な液晶パネルである。透明液晶パネル３３は、それ自体が発光する機能を備えていない。このためユーザは、バックライトが発する透過光、または挿入板３２により反射された反射光により、透明液晶パネル３３に表示される画像を視認する。
〈１−３．機能部の構成について〉
【００４６】
ここで、本発明の第一の実施形態に係る電子ブック１が表示制御処理を実施するための各機能部の関係を、図１のブロック図を用いながら説明する。
【００４７】
図１に示すように本発明の表示制御処理は、制御部１１が備える板判別部１１ａ（＝判別部）、表示制御部１１ｂ、及びバックライト制御部１１ｃにより実施される。
【００４８】
板判別部１１ａは、板検知部１９が検知した挿入板３２が専用板であるか否かの判定を行う。具体的な判定方法としては例えば、専用板は予め、複数のリーフスイッチのうち一部のみを加圧し、その他のリーフスイッチを加圧しない形状で製造されている。板検知部１９は予め、この専用板の形状に関する情報を保持している。
【００４９】
このため板判別部１１ａは、各リーフスイッチの押下／非押下状態に基づいて、挿入板３２が専用板であるか否かを判定する。或いは、予め専用板に設けられたＩＣチップに記録されている識別情報を、板検知部１９に含まれるＩＣリーダ（不図示）により読み出して判定を行う形態でもよい。
【００５０】
専用板には複数の種別が存在し、種別毎に異なる形状をしている。従って、専用板の種別が異なれば、押下されるリーフスイッチも異なるものとなる。電子ブック１が備える記録媒体、例えばフラッシュメモリ１４等には、予め専用板の種別と、押下されるリーフスイッチとの関係を示した、関連情報が記録されている。
【００５１】
また、種別毎の専用板の特性、例えば透明度等も、この関連情報に含まれている。板判別部１１ａはこの関連情報を参照することにより、挿入された専用板の特性を判別する。
【００５２】
表示制御部１１ｂは、板判別部１１ａによる判別結果に基づき、書籍ファイルに含まれる文字画像や挿絵画像（＝絵画像）の表示制御を行う。なお表示制御部１１ｂは、専用板ではない挿入板３２の挿入が検知された場合、予め定められたデフォルトの制御方法、例えば白板が挿入されたことを前提とした制御方法で表示制御を行う。
【００５３】
例えば、挿入板３２として透明度ゼロ、つまり完全に光を遮断する専用板が検知された場合、表示制御部１１ｂは、バックライトの発光が停止するよう、次のバックライト制御部１１ｃに指示する。これにより、反射光のみによって透明液晶パネル３３が視認される状態となる。
【００５４】
また例えば、挿入板３２として所定の透明度を持った専用板が検知された場合、表示制御部１１ｂはカラー液晶パネル３１の色調や輝度を、予めユーザより受け付けたカスタマイズ設定内容に基づいて決定する。これにより例えば、夜間の閲覧等に適した色調や輝度となるよう調整を行う。
【００５５】
バックライト制御部１１ｃは、ユーザ操作、ユーザ設定、または上記の表示制御部１１ｂからの指示に基づき、ディスプレイ１５に含まれるバックライトの調光を行う。
〈１−４．表示制御処理について〉
【００５６】
ここで、本発明の第一の実施形態に係る電子ブック１が実施する表示制御処理を、図４のフロー図を用いながら説明する。
【００５７】
図４に示す処理は、電子ブック１の電源が駆動しており、且つ操作部１３によるユーザ操作により、ＨＤＤ１６等に記録されている書籍ファイルの選択及び実行が行われた場合に開始される。
【００５８】
本処理の開始後、表示制御部１１ｂはステップＳ１１０において、書籍閲覧モードがＯＮ、つまり有効に設定されているいか否かを判定する。なお書籍閲覧モードのＯＮ／ＯＦＦ切り換えは、操作部１３を用いてユーザが任意のタイミングで実施することが可能である。
【００５９】
書籍閲覧モードがＯＮではない場合、表示制御部１１ｂはステップＳ１２１において、通常モードでの文章表示を行う。なお通常モードとは、電子ブック１を電子手帳やＰＤＡとして使用する場合に用いられるモードである。通常モードにおいては、カラー液晶パネル３１及びバックライトを用いて画像が表示される。なお、通常モードにおける表示制御処理は従来技術と同様であるため、ここでは説明を省略する。
【００６０】
書籍閲覧モードがＯＮである場合、表示制御部１１ｂはステップＳ１２０において、透明液晶パネル３３を用いて文字画像を表示するよう、ディスプレイ１５を制御する。この際、カラー液晶パネル３１には文字画像が表示されない。なお表示する文字画像は、実行された書籍ファイルに含まれている文字列データや表示制御用のメタデータ（例えばフォント指定データ）等に基づいて生成される。
【００６１】
次に表示制御部１１ｂはステップＳ１３０において、挿入板３２の挿入要求メッセージを透明液晶パネル３３に表示するよう、ディスプレイ１５を制御する。なおこのメッセージ画像は、図示しないＯＳＤ（On-Screen Display）処理部によって生成する。
【００６２】
次に板判別部１１ａはステップＳ１４０において、挿入された挿入板３２が専用板であるか否かを判定する。専用板ではない場合、表示制御部１１ｂはステップＳ１５１において、非専用板用の動作モード、つまりデフォルトの制御方法で表示制御を行う動作モードに移行する。
【００６３】
非専用板用の動作モードは例えば、挿入された挿入板３２が非透明であると仮定して、カラー液晶パネル３１による表示を停止するとともに、バックライトの発光を停止する。或いは、非専用板用の動作モードを予め複数用意しておき、非専用板用が検知された時点でユーザに提示する形態でもよい。この場合、動作モードの選択操作を操作部１３により受け付け、動作モードを決定する。
【００６４】
挿入された挿入板３２が専用板である場合、板判別部１１ａはステップＳ１５０において、専用板が透明板であるか否かを判定する。透明板ではない場合、後述するステップＳ１７０へ移行する。透明板である場合、表示制御部１１ｂはステップＳ１６０において、予め透明板用にカスタマイズされた動作モードで動作するよう、カラー液晶パネル３１の表示制御を行う。
【００６５】
透明板用にカスタマイズされた動作モードとしては例えば、所定の壁紙画像や白地の画像等をカラー液晶パネル３１に表示する。併せて、バックライトの発光量を通常モードよりも低減する。これにより、透過光によるユーザの目の疲れを低減する。
【００６６】
次に表示制御部１１ｂはステップＳ１７０において、書籍ファイルに含まれるデータを用いた文字画像の表示処理を開始する。次に表示制御部１１ｂはステップＳ１８０において、ユーザによる閲覧操作、例えば頁送り動作が検知され、且つ書籍ファイルの終端が検知されたか否かを判定する。なお終端の判定は、書籍ファイルに含まれるデータの末尾に存在するＥＯＦ（End Of File）データ等を検出することにより行う。
【００６７】
次に表示制御部１１ｂはステップＳ１９０において、挿入板３２の抜出要求メッセージを透明液晶パネル３３に表示するよう、ディスプレイ１５を制御する。さらにステップＳ２００において、書籍閲覧モードを終了して通常モードに移行した後、本処理を終了する。
【００６８】
以上に説明した本実施形態によれば、挿入板３２の挿入状態に応じて、ディスプレイ１５に含まれる液晶パネルの表示状態を変更することができる。例えば、挿入板３２として白紙を挿入された場合に、ユーザは従来の紙メディアと同様の反射光で電子ブック１を閲覧することができる。
【００６９】
また例えば、挿入板３２として透過性の専用板が挿入された場合に、カラー液晶パネル３１及び透明液晶パネル３３の両方を用いて画像を表示することができる。これによりユーザは、挿入板３２の種別に応じた表示調整を手動で行う必要がない。また。カラー液晶パネル３１のみを用いて書籍ファイルを閲覧する場合と比較して、バックライトの透過光によるユーザの目の疲れを低減することができる。
[実施の形態２]
【００７０】
次に、本発明の第二の実施形態について説明する。
〈２−１．内部構成について〉
【００７１】
第一の実施形態と同内容であるため、ここでは説明を省略する。
〈２−２．液晶パネルの構成について〉
【００７２】
第一の実施形態と同内容であるため、ここでは説明を省略する。
〈２−３．機能部の構成について〉
【００７３】
第一の実施形態の構成に加えて、挿絵表示制御部１１ｄ（＝絵画表示制御部）を備えている。また、表示制御部１１ｂの機能が、第一の実施形態と一部異なる。
【００７４】
挿絵表示制御部１１ｄは、挿絵（＝絵画像）を表示する挿絵モードのＯＮ／ＯＦＦに関する指定をユーザより受け付ける。挿絵モードがＯＮであり、且つ検知された挿入板３２が透明度を持った専用板である場合、カラー液晶パネル３１に挿絵を表示する。また挿絵表示制御部１１ｄは、挿絵が含まれていない頁が表示された場合に、バックライトの輝度を所定値まで低下させるよう、バックライト制御部１１ｃに指示する。或いは、カラー液晶パネル３１にカスタマイズされた下地画像（例えば白色画像）を表示する下地表示モードにする形態でもよい。
【００７５】
挿絵モードがＯＮであり、且つ検知された挿入板３２が透明度を持っていない専用板である場合、挿絵画像を透明液晶パネル３３に白黒で表示する。或いは、透明液晶パネル３３に白黒表示するか否かの指定をユーザより受け付ける形態でもよい。
【００７６】
また挿絵表示制御部１１ｄは、挿絵維持モードのＯＮ／ＯＦＦに関する指定をユーザより受け付ける。挿絵維持モードがＯＮの場合、一旦挿絵が表示されると、次の挿絵が表示されるまでその挿絵の表示を維持するよう、表示制御部１１ｂに指示する。従って、改頁が行われても挿絵が非表示とならない。
【００７７】
また本実施形態の表示制御部１１ｂは、上記の挿絵表示制御部１１ｄから与えられる指示と、板判別部１１ａによる挿入板３２の検知状態とに基づき、挿絵画像の表示制御を行う。具体的には、挿絵画像を表示する液晶パネルを切り換えたり、挿絵画像のカラー／白黒を切り換えたり、挿絵画像の色調、サイズ、表示位置等を変更したりする。
〈２−４．表示制御処理について〉
【００７８】
ここで、本発明の第二の実施形態に係る電子ブック１が実施する表示制御処理を、図６〜図８のフロー図を用いながら説明する。なお、第一の実施形態の図３と同内容の処理については、同じステップ番号を付加することにより説明を省略するものとする。
【００７９】
なお、図６〜図８における丸記号は処理の接続子を示している。例えば図６における接続子Ａ１に処理が移行した場合、図７に示す接続子Ａ１へ処理が移行し、結果としてステップＳ２１０が実行される。接続子Ａ２、接続子Ｂ１、及び接続子Ｂ２についても同様に、同じ符号番号の接続子へ処理が移行することを示している。
【００８０】
ステップＳ１１０〜ステップＳ１４０については、実施の形態１と同内容である。ステップＳ１５０において、専用板が透明板である場合、ステップＳ１６０を実施した後、図７に示すステップＳ２１０に移行する。専用板が透明板ではない図８に示すステップＳ３１０へ移行する。
【００８１】
まず図７について説明を行うと、挿絵表示制御部１１ｄはステップＳ２１０において、挿絵モードがＯＮに設定されているか否かを判定する。なお挿絵モードのＯＮ／ＯＦＦに関する設定は、予めユーザより受け付けているものとする。
【００８２】
挿絵モードがＯＮではない場合、挿絵表示制御部１１ｄはステップＳ２２１において、挿絵を非表示とするよう表示制御部１１ｂに指示する。そして非表示の状態でステップＳ１７０へ移行し、表示制御部１１ｂが文章表示処理を開始する。
【００８３】
挿絵モードがＯＮである場合、挿絵表示制御部１１ｄはステップＳ２２０において、挿絵をカラー液晶パネル３１によりカラー表示するよう、予めユーザ設定がなされているか否かを判定する。カラー液晶パネル３１による挿絵表示が指示されていない場合、挿絵表示制御部１１ｄはステップＳ２２０において、白黒の挿絵を透明液晶パネル３３に表示するよう、表示制御部１１ｂに指示する。その後、ステップＳ１７０へ移行する。
【００８４】
カラー液晶パネル３１による挿絵表示が指示されている場合、挿絵表示制御部１１ｄはステップＳ２３０において、所定の輝度で挿絵を表示するよう、表示制御部１１ｂ及びバックライト制御部１１ｃに指示する。
【００８５】
さらに挿絵表示制御部１１ｄはステップＳ２４０において、挿絵維持モードがＯＮに設定されているか否かを判定する。なお挿絵維持モードのＯＮ／ＯＦＦに関する設定は、予めユーザより受け付けているものとする。
【００８６】
挿絵維持モードがＯＮである場合、挿絵表示制御部１１ｄはステップＳ２５０において、他の挿絵画像の表示指示が検知されるまで該当挿絵画像の表示を維持するよう、表示制御部１１ｂに指示する。挿絵維持モードがＯＦＦである場合、挿絵表示制御部１１ｄはステップＳ２５１において、改頁指示が検知された時点で挿絵を消去して下地画像を表示するよう、表示制御部１１ｂに指示する。以上のステップＳ２５０またはステップＳ２５１が実施されると、ステップＳ１７０へ移行する。
【００８７】
次に図８について説明を行うと、挿絵表示制御部１１ｄはステップＳ３１０において、挿絵モードがＯＮに設定されているか否かを判定する。挿絵モードがＯＮである場合、挿絵表示制御部１１ｄはステップＳ３２０において、白黒の挿絵画像を透明液晶パネルに表示するよう、表示制御部１１ｂに指示する。なお白黒の挿絵画像は、書籍ファイルの文字画像と重複しない位置に表示するものとする。
【００８８】
挿絵モードがＯＮではない場合、挿絵表示制御部１１ｄはステップＳ３２１において、挿絵を非表示とするよう表示制御部１１ｂに指示する。以上のステップＳ３２０またはステップＳ３２１が実施されると、ステップＳ１７０へ移行する。
【００８９】
以上に説明した本実施形態によれば、書籍ファイルに挿絵データが含まれている場合において、挿入板３２の挿入状態に応じて、より好適な方法で挿絵画像を表示することが可能である。
［その他の実施の形態］
【００９０】
以上、好ましい実施の形態及び実施例を挙げて本発明を説明したが、本発明は必ずしも上記実施の形態に限定されるものではなく、その技術的思想の範囲内において様々に変形して実施することができる。
【００９１】
従って本発明は、以下の形態にも適用可能である。
【００９２】
（Ａ）上記実施形態では、表示装置の一例として電子ブック１を例に挙げているが、これ以外の表示装置を用いて本発明を実施する形態でもよい。例えば、携帯電話、ポータブルカーナビ、ポータブルテレビ、ノートパソコン、ＰＤＡ等を用いる形態であってもよい。
【００９３】
（Ｂ）上記実施形態では、本発明の表示制御処理に関わる各機能部が、マイクロプロセッサ等の演算処理装置上でプログラムを実行することにより実現されているが、各機能部が複数の回路により実現される形態でもよい。
【００９４】
（Ｃ）上記実施形態では、表示制御処理が開始されるタイミングとして、書籍ファイルの読み込みが実施されたタイミングを例に説明を行っているが、これ以外のタイミングにおいて本発明の表示制御処理を実施する形態でもよい。例えば、挿入板３２の挿入が検知された時点で開始する形態でもよい。
【００９５】
（Ｄ）上記実施形態では、ディスプレイ１５がカラー液晶パネル３１、挿入板３２及び透明液晶パネル３３を備えた三層構造をしているが、必ずしもカラー液晶パネル３１を備える必要はない。つまり挿入板３２及び透明液晶パネル３３のみを備える二層構造の構成において、上記の表示制御処理の一部を実施する形態でもよい。
【００９６】
（Ｅ）上記実施形態では、板検知部１９がリーフスイッチを含み、リーフスイッチの押下状態に用いて専用板の種別を検知しているが、これ以外の手法により専用板を検知する形態でもよい。例えば、予め専用板にＩＣチップ等の識別用部材が取り付けられており、ＩＣリーダを用いて専用板の種別を検知する形態でもよい。
【００９７】
（Ｆ）上記実施形態では、ディスプレイ１５に含まれる表示部材としてカラー液晶パネル３１及び透明液晶パネル３３を例に説明を行っているが、これ以外の装置により画像を表示する形態でもよい。例えば透明液晶パネル３３の代わりに有機ＥＬを用いる形態でもよい。
【符号の説明】
【００９８】
１      電子ブック（表示装置）
１１    制御部
１１ａ  板判別部（判別部）
１１ｂ  表示制御部
１１ｃ  バックライト制御部
１１ｄ  挿絵表示制御部（絵画表示制御部）
１３    操作部
１４    フラッシュメモリ
１５    ディスプレイ（表示部）
１６    ＨＤＤ
１９    板検知部（挿抜検知部）
３１    カラー液晶パネル（カラー液晶部）
３２    挿入板（挿抜部材）
３３    透明液晶パネル（透明液晶部）
【図１】
2012022126.tif 000003
【図２】
2012022126.tif 000004
【図３】
2012022126.tif 000005
【図４】
2012022126.tif 000006
【図５】
2012022126.tif 000007
【図６】
2012022126.tif 000008
【図７】
2012022126.tif 000009
【図８】
2012022126.tif 000010